(57)【要約】【課題】  Ｘ線非透過性部材をアイソセンターと呼ばれる基準位置に容易に設置することが可能なＸ線撮影系の位置決め用ファントムを提供する。【解決手段】  レーザ光源１０２からのレーザビーム３２ａを位置決め用ファントムＦの傾斜面に形成された光反射領域と一致させるとともに、レーザ光源１０４からのレーザビーム３４ａを位置決め用ファントムＦの傾斜面に形成された光反射領域と一致させることにより、位置決め用ファントムＦを水平面内で位置決めして、金属球を水平面内においてアイソセンターに配置する。そして、レーザ光源１０２からのレーザビーム３２ｂを位置決め用ファントムＦの傾斜面に形成された光反射領域と一致させることにより、位置決め用ファントムＦを鉛直方向に位置決めして、金属球を鉛直方向においてもアイソセンターに位置決めする。【選択図】        図４
2020068885.tif 000002
【特許請求の範囲】
【請求項１】
Ｘ線照射部とＸ線検出部とを有するＸ線撮影系を複数備え、当該複数のＸ線撮影系により被検者を異なる２方向から撮影するＸ線撮影装置において、それらの面が互いに直交する面状の第１光ビームおよび第２光ビームを利用することにより、前記Ｘ線撮影系の位置決めを実行するための位置に設置されるＸ線撮影系の位置決め用ファントムであって、
前記第１光ビームの進行方向に対して傾斜する第１傾斜面と、前記第２光ビームの進行方向に対して傾斜する第２傾斜面と、を備え、内部にＸ線非透過部材を支持するＸ線透過部材から形成された本体と、
前記第１傾斜面の表面に形成された前記第１光ビームと平行となる線状の第１光反射領域と、
前記第２傾斜面の表面に形成された前記第２光ビームと平行となる線状の第２光反射領域と、
を備えることを特徴とするＸ線撮影系の位置決め用ファントム。
【請求項２】
請求項１に記載のＸ線撮影系の位置決め用ファントムにおいて、
前記第１光ビームおよび前記第２光ビームと直交する面を形成する面状の第３光ビームがさらに照射され、
前記本体には、前記第３光ビームの進行方向に対して傾斜する第３傾斜面がさらに形成されるとともに、
前記第３傾斜面の表面に形成された前記第３光ビームと平行となる線状の第３光反射領域をさらに備えるＸ線撮影系の位置決め用ファントム。
【請求項３】
請求項２に記載のＸ線撮影系の位置決め用ファントムにおいて、
前記本体は光透過性部材から構成されるとともに、
前記第１光反射領域、前記第２光反射領域および前記第３光反射領域は、前記第１、第２、第３光ビームを拡散するＸ線撮影系の位置決め用ファントム。
【請求項４】
Ｘ線照射部とＸ線検出部とを有するＸ線撮影系を複数備え、当該複数のＸ線撮影系により被検者を異なる２方向から撮影するＸ線撮影装置において、互いに直交する方向から照射される第１光ビームおよび第２光ビームを利用することにより、前記Ｘ線撮影系の位置決めを実行するための位置に設置されるＸ線撮影系の位置決め用ファントムであって、
Ｘ線透過性部材から構成され、内部にＸ線非透過性部材を支持する本体と、
前記本体に対し、前記第１光ビームの進行方向に対して異なる位置に配置され、前記第１光ビームを反射する複数の第１光反射領域と、
前記本体に対し、前記第２光ビームの進行方向に対して異なる位置に配置され、前記第２光ビームを反射する複数の第２光反射領域と、
を備えることを特徴とするＸ線撮影系の位置決め用ファントム。
【発明の詳細な説明】
【技術分野】
【０００１】
この発明は、Ｘ線撮影系の位置決め用ファントムに関する。
【背景技術】
【０００２】
Ｘ線照射部とＸ線検出部とを有するＸ線撮影系を複数備え、当該複数のＸ線撮影系により被検者を異なる２方向から撮影するＸ線撮影装置においては、複数のＸ線撮影系相互の位置関係を正確に位置決めする必要がある。このため、このように複数のＸ線撮影系を有するＸ線撮影装置においては、それぞれのＸ線撮影系に位置ずれが生じていないかを毎日確認する、所謂、ディリーチェックと呼ばれる工程を実行することにより、ＱＡ（Ｑｕａｌｉｔｙ  Ａｓｓｕｒａｎｃｅ：品質保証）やＱＣ（Ｑｕａｌｉｔｙ  Ｃｏｎｔｒｏｌ：品質管理）を担保している。このような場合においては、Ｘ線撮影系の位置決め用ファントムが使用される。
【０００３】
このＸ線撮影系の位置決め用ファントムを使用してＸ線撮影系の位置決めを実行するときには、位置決め用ファントムをＸ線撮影系の位置決めに適したアイソセンターと呼ばれる基準位置に設置する必要がある。このような場合においては、アイソセンターで互いの交差する一対のレーザビームを照射し、位置決め用ファントムの表面に形成されたマークとレーザビームの照射位置とを整合させることにより、位置決め用ファントムをＸ線撮影系の位置決めに適した位置に配置している(特許文献１参照)。しかし、従来の位置決め用ファントムは、Ｘ線撮影系の位置決めに適したアイソセンターと呼ばれる基準位置に容易に設置することが困難である。
【先行技術文献】
【特許文献】
【０００４】
【特許文献１】特開２０１６−３６６７２号公報
【発明の概要】
【発明が解決しようとする課題】
【０００５】
本発明は、Ｘ線非透過性部材をアイソセンターと呼ばれる基準位置に容易に設置することが可能なＸ線撮影系の位置決め用ファントムを提供することを目的とする。
【課題を解決するための手段】
【０００６】
第１の発明は、Ｘ線照射部とＸ線検出部とを有するＸ線撮影系を複数備え、当該複数のＸ線撮影系により被検者を異なる２方向から撮影するＸ線撮影装置において、それらの面が互いに直交する面状の第１光ビームおよび第２光ビームを利用することにより、前記Ｘ線撮影系の位置決めを実行するための位置に設置されるＸ線撮影系の位置決め用ファントムであって、前記第１光ビームの進行方向に対して傾斜する第１傾斜面と、前記第２光ビームの進行方向に対して傾斜する第２傾斜面と、を備え、内部にＸ線非透過部材を支持するＸ線透過部材から形成された本体と、前記第１傾斜面の表面に形成された前記第１光ビームと平行となる線状の第１光反射領域と、前記第２傾斜面の表面に形成された前記第２光ビームと平行となる線状の第２光反射領域と、を備えることを特徴とする。
【０００７】
第２の発明は、前記第１光ビームおよび前記第２光ビームと直交する面を形成する面状の第３光ビームがさらに照射され、前記本体には、前記第３光ビームの進行方向に対して傾斜する第３傾斜面がさらに形成されるとともに、前記第３傾斜面の表面に形成された前記第３光ビームと平行となる線状の第３光反射領域をさらに備える。
【０００８】
第３の発明は、前記本体は光透過性部材から構成されるとともに、前記第１光反射領域、前記第２光反射領域および前記第３光反射領域は、前記第１、第２、第３光ビームを拡散する。
【０００９】
第４の発明は、Ｘ線照射部とＸ線検出部とを有するＸ線撮影系を複数備え、当該複数のＸ線撮影系により被検者を異なる２方向から撮影するＸ線撮影装置において、互いに直交する方向から照射される第１光ビームおよび第２光ビームを利用することにより、前記Ｘ線撮影系の位置決めを実行するための位置に設置されるＸ線撮影系の位置決め用ファントムであって、Ｘ線透過性部材から構成され、内部にＸ線非透過性部材を支持する本体と、前記本体に対し、前記第１光ビームの進行方向に対して異なる位置に配置され、前記第１光ビームを反射する複数の第１光反射領域と、前記本体に対し、前記第２光ビームの進行方向に対して異なる位置に配置され、前記第２光ビームを反射する複数の第２光反射領域と、を備えることを特徴とする。
【発明の効果】
【００１０】
第１の発明によれば、第１光ビームと第１傾斜面の表面に形成された第１光反射領域との位置を一致させ、第２光ビームと第２傾斜面の表面に形成された第２光反射領域との位置を一致させることにより、Ｘ線非透過性部材を基準位置に容易に設置することが可能となる。
【００１１】
第２の発明によれば、第１光ビームおよび第２光ビームと直交する方向の位置決めを容易に実行することが可能となる。
【００１２】
第３の発明によれば、光の拡散を利用して光ビームと光反射領域との位置関係を確認することができ、ファントムの位置決めを容易に実行することが可能となる。
【００１３】
第４の発明によれば、第１光ビームと第１光反射領域とを一致させ、第２光ビームと第２光反射領域とを一致させることにより、Ｘ線非透過性部材を基準位置に容易に設置することが可能となる。
【図面の簡単な説明】
【００１４】
【図１】この発明に係るＸ線撮影系の位置決め用ファントムを使用するＸ線撮影装置を、治療ビーム照射装置９０とともに示す斜視図である。
【図２】位置決め用ファントムＦを正面側から見た斜視図である。
【図３】位置決め用ファントムＦを背面側から見た斜視図である。
【図４】位置決め用ファントムＦに対して面状のレーザビームを照射するためのレーザ光源１０１、１０２、１０３、１０４の配置を示す説明図である。
【図５】レーザ光源１０１、１０２から位置決め用ファントムＦにレーザビームを照射する状態を示す概要図である。
【図６】レーザ光源１０３から位置決め用ファントムＦにレーザビームを照射する状態を示す概要図である。
【図７】各レーザビームＬに対して各光反射領域Ｍを位置決めする状態を模式的に示す説明図である。
【図８】この発明の第２実施形態に係る位置決め用ファントムＦの平面図である。
【図９】図８のＡ−Ａ断面図である。
【図１０】レーザビーム１００を利用して従来の位置決め用ファントムＦの位置決めを行う位置決め動作を示す説明図である。
【図１１】レーザビーム１００を利用して従来の位置決め用ファントムＦの位置決めを行う位置決め動作を示す説明図である。
【発明を実施するための形態】
【００１５】
以下、この発明の実施の形態を図面に基づいて説明する。図１は、この発明に係るＸ線撮影系の位置決め用ファントムを使用するＸ線撮影装置を、治療ビーム照射装置９０とともに示す斜視図である。
【００１６】
治療ビーム照射装置９０は、検診台２７上の被検者に対して放射線照射を行うものであり、治療室の床面に設置された基台９１に対して揺動可能に設置されたガントリー９２と、治療ビームを出射するためにガントリー９２に配設された治療ビーム照射部９３とを備える。このガントリー９２は、治療ビーム照射部９３とともに、基台９１に対して３６０度の範囲で回転可能な構造となっている。従って、この治療ビーム照射装置９０によれば、ガントリー９２が基台９１に対して任意の角度まで回転することにより、治療ビーム照射部９３から照射される治療ビームの照射方向を変更することができる。このため、被検者における腫瘍等の患部に対して、様々な方向から治療ビームを照射することが可能となる。
【００１７】
この治療ビーム照射装置９０とともに使用されるＸ線撮影装置は、被検者の患部の位置を特定する動体追跡を行うためのＸ線透視を実行するものである。すなわち、上述した治療ビーム照射装置９０を使用した放射線治療時においては、被検者の体動に伴って移動する患部に対して、放射線を正確に照射する必要がある。このため、このＸ線撮影装置においては、被検者を互いに異なる２方向から透視し、その透視画像に対して画像認識を実行することにより、被検者の特定部位または被検者の特定部位付近に留置されたマーカ（以下、これらを総称して「マーカ等」という）の位置を検出し、マーカ等の三次元の位置情報を演算することで、マーカ等を高精度で検出する、所謂、動体追跡を行う構成となっている。
【００１８】
このＸ線撮影装置は、第１Ｘ線管６１ａ、第２Ｘ線管６１ｂ、第３Ｘ線管６１ｃ、第４Ｘ線管６１ｄ（これらを総称する場合には「Ｘ線管６１」という）と、第１フラットパネルディテクタ７１ａ、第２フラットパネルディテクタ７１ｂ、第３フラットパネルディテクタ７１ｃ、第４フラットパネルディテクタ７１ｄ（これらを総称するときには「フラットパネルディテクタ７１」という）とを備える。第１Ｘ線管６１ａから照射されたＸ線は、検診台２７上の被検者を透過した後、第１フラットパネルディテクタ７１ａにより検出される。第１Ｘ線管６１ａと第１フラットパネルディテクタ７１ａとは、第１Ｘ線撮影系を構成する。第２Ｘ線管６１ｂから照射されたＸ線は、検診台２７上の被検者を透過した後、第２フラットパネルディテクタ７１ｂにより検出される。第２Ｘ線管６１ｂと第２フラットパネルディテクタ７１ｂとは、第２Ｘ線撮影系を構成する。第３Ｘ線管６１ｃから照射されたＸ線は、検診台２７上の被検者を透過した後、第３フラットパネルディテクタ７１ｃにより検出される。第３Ｘ線管６１ｃと第３フラットパネルディテクタ７１ｃとは、第３Ｘ線撮影系を構成する。第４Ｘ線管６１ｄから照射されたＸ線は、検診台２７上の被検者を透過した後、第４フラットパネルディテクタ７１ｄにより検出される。第４Ｘ線管６１ｄと第４フラットパネルディテクタ７１ｄとは、第４Ｘ線撮影系を構成する。
【００１９】
なお、動体追跡を行うためのＸ線透視を実行するときには、第１Ｘ線撮影系、第２Ｘ線撮影系、第３Ｘ線撮影系、第４Ｘ線撮影系のうちの２個のＸ線撮影系が選択されて使用される。
【００２０】
検診台２７は、基部２８と、カウチとも呼称される被検者載置部２９とを備える。被検者載置部２９は、基部２８に対して６軸方向に移動および回転可能となっている。
【００２１】
以上のような構成を有するＸ線撮影装置において動体追跡を行う場合には、第１Ｘ線撮影系、第２Ｘ線撮影系、第３Ｘ線撮影系、第４Ｘ線撮影系のうちの２つのＸ線撮影系を使用してＸ線透視を行い、Ｘ線透視画像を取得する。そして、取得されたＸ線透視画像に基づいてマーカ等の位置を検出し、マーカ等の位置に基づいて、治療ビーム照射装置９０における治療ビーム照射部９３から被検者の体動とともに移動する被検者の患部に治療ビームが照射される。
【００２２】
このようなＸ線撮影装置においては、第１Ｘ線撮影系、第２Ｘ線撮影系、第３Ｘ線撮影系および第４Ｘ線撮影系相互の位置関係を正確に位置決めする必要がある。このため、このように複数のＸ線撮影系を有するＸ線撮影装置においては、それぞれのＸ線撮影系に位置ずれが生じていないかを確認する必要がある。このような場合においては、Ｘ線撮影系の位置決め用ファントムが使用される。この位置決め用ファントムは、その内部に支持された金属球等のＸ線非透過性部材が、Ｘ線撮影系の位置決めに適したアイソセンターと呼ばれる基準位置に設置されるように位置決めされて設置される。
【００２３】
図１０および図１１は、比較例として、レーザビーム１００を利用して従来の位置決め用ファントムＦの位置決めを行う位置決め動作を示す説明図である。
【００２４】
この位置決め用ファントムＦは、透光性部材から構成され、Ｘ線非透過性部材としての金属球３を内部に支持する構造を有する。この位置決め用ファントムＦの設置位置を調整するときには、図１０（ａ）に示すように、レーザビーム１００が位置決め用ファントムＦにおける破線間の領域に照射されるように、位置決め用ファントムＦを移動させる。
【００２５】
しかしながら、レーザビーム１００に対して位置決め用ファントムＦの位置ずれが生じた場合には、その位置ずれが位置決め用ファントムＦの位置誤差に起因するものであるのか、角度誤差に起因するものであるのかを判断することが困難となる。例えば、図１０（ｂ）に示すように位置決め用ファントムＦに位置ずれが生じた場合と、図１０（ｃ）に示すように位置決め用ファントムＦに角度ずれが生じた場合とにおいては、位置決め用ファントムＦに対するレーザビーム１００の照射位置は同一位置となることから、オペレータは、位置決め用ファントムＦに位置ずれと角度ずれのいずれが生じているのかを判断することが困難となる。
【００２６】
また、図１１に示すように、互いに逆方向から照射されるレーザビーム１００を利用して位置決め用ファントムＦの位置決めを行うときには、レーザビーム１００に対して位置決め用ファントムＦの位置ずれが生じた場合に、いずれのレーザビーム１００を基準とすべきかオペレータが判断する必要がある。このため、オペレータによって判断基準に差が生じ、設計者が意図しない基準に基づいて位置決め用ファントムＦが設置される可能性がある。
【００２７】
図２は、本実施形態による位置決め用ファントムＦを正面側から見た斜視図であり、図３は、位置決め用ファントムＦを背面側から見た斜視図である。
【００２８】
この位置決め用ファントムＦは、検診台２７またはその他の載置台上に載置されることにより、その内部に支持されたＸ線非透過部材としての金属球３がアイソセンターと呼称される基準位置に設置されるように配置されるものである。この位置決め用ファントムＦの上面には、位置決め用ファントムＦを検診台２７上に載置される被検者の方向と対応する方向に設置できるようにするためのマーク４が表示されている。なお、この明細書においては、説明の便宜上、位置決め用ファントムＦが水平面上に載置された状態において、位置決め用ファントムＦにおける被検者の足側を正面側、被検者の頭側を背面側とし、被検者の側面側を左右方向として説明する。
【００２９】
この位置決め用ファントムＦは、透光性のアクリル樹脂の中央部に金属球３を配置した構成を有する。この位置決め用ファントムＦの正面側には、傾斜面１３と、この傾斜面１３の下方の鉛直方向を向く面１７とが形成されている。また、この位置決め用ファントムＦの左右方向には、傾斜面１１、１２と、この傾斜面１１、１２の下方の鉛直方向を向く面１８とが形成されている。また、この位置決め用ファントムＦにおける傾斜面１１および面１８と傾斜面１３および面１７との間には、面１８および面１７に対して傾斜する鉛直方向を向く傾斜面１４が形成されており、傾斜面１２および面１８と傾斜面１３および面１７との間には、面１８および面１７に対して傾斜する鉛直方向を向く傾斜面１５が形成されている。さらに、この位置決め用ファントムＦの上面は、水平方向を向く面１６となっている。なお、傾斜面１３と傾斜面１１、１２とは、互いに直交している。
【００３０】
傾斜面１３の表面には、線状の光反射領域２３が形成されている。傾斜面１１の表面には、線状の光反射領域２１が形成されている。傾斜面１２の表面には、線状の光反射領域２２が形成されている。これらの光反射領域２１、２２、２３は、面１６、１７、１８に至る領域に延長され、それらの面１６、１７、１８に線状の光反射領域を形成している。また、面１７、傾斜面１４および面１８に至る水平方向を向く線状の光反射領域も形成されている。なお、各光反射領域は、後述するレーザビームを拡散する。
【００３１】
上述した位置決め用ファントムＦを基準位置に設置するときには、アイソセンターに向けて光ビームとしての面状のレーザビームを照射する複数のレーザ光源が使用される。図４は、位置決め用ファントムＦに対して面状のレーザビームを照射するためのレーザ光源１０１、１０２、１０３、１０４の配置を示す説明図である。なお、図４においては、各レーザ光源１０１、１０２、１０３、１０４から照射される面状のレーザビームの一部を模式的に三角形で表している。また、図５は、レーザ光源１０１、１０２から位置決め用ファントムＦにレーザビームを照射する状態を示す概要図であり、図６は、レーザ光源１０３から位置決め用ファントムＦにレーザビームを照射する状態を示す概要図である。
【００３２】
レーザ光源１０１からは、鉛直方向を向く面状のレーザビーム３１ａと、水平面を向く面状のレーザビーム３１ｂとが照射される。面状のレーザビーム３１ａと面状のレーザビーム３１ｂとは直交している。レーザ光源１０２からは、鉛直方向を向く面状のレーザビーム３２ａと、水平面を向く面状のレーザビーム３２ｂとが照射される。面状のレーザビーム３２ａと面状のレーザビーム３２ｂとは直交している。レーザ光源１０３からは鉛直方向を向き、面状のレーザビーム３１ａ、３１ｂ、３２ａ、３２ｂと直交する面状のレーザビーム３３ａが照射される。レーザ光源１０４からは、鉛直方向を向き面状のレーザビーム３１ａ、３１ｂ、３２ａ、３２ｂと直交する面状のレーザビーム３４ａおよび３４ｂが照射される。面状のレーザビーム３４ａと面状のレーザビーム３４ｂとは直交している。これらのレーザビーム３１ａ、３１ｂ、３２ａ、３２ｂ、３３ａ、３４ａ、３４ｂは、アイソセンターに向けて照射される。
【００３３】
以上のような構成を有する位置決め用ファントムＦにおいては、レーザビーム３１ａ、３１ｂ、３２ａ、３２ｂ、３３ａ、３４ａ、３４ｂのうち、それらの面が互いに直交する一対の光ビームを第１光ビームおよび第２光ビームとし、第１光ビームの進行方向に対して傾斜する第１傾斜面に形成された第１光反射領域と、第２光ビームの進行方向に対して傾斜する第２傾斜面に形成された第２光反射領域とを使用して、位置決め用ファントムＦにおける互いに直交する２方向の位置決めを行う。そして、第１光ビームおよび第２光ビームと直交する面を形成するレーザビームを第３光ビームとして、第３光ビームの進行方向に対して傾斜する第３傾斜面に形成された第３光反射領域を使用して、位置決め用ファントムＦにおける上記２方向と直交する方向の位置決めを行う。
【００３４】
例えば、レーザ光源１０２からのレーザビーム３２ａを第１光ビームとして傾斜面１１に形成された光反射領域２１をこのレーザビーム３２ａに対して位置決めするとともに、レーザ光源１０４からのレーザビーム３４ａを第２の光ビームとして傾斜面１３に形成された光反射領域２３をこのレーザビーム３４ａに対して位置決めをすることにより、位置決め用ファントムＦを水平面内で位置決めして、金属球３を水平面内においてアイソセンターに配置することができる。そして、レーザ光源１０２からのレーザビーム３２ｂを第３光ビームとして傾斜面１４に形成された光反射領域２４をこのレーザビーム３２ｂに対して位置決めすることにより、位置決め用ファントムＦを鉛直方向に位置決めして、金属球３を鉛直方向においてもアイソセンターに位置決めすることができる。
【００３５】
図７は、各レーザビームＬに対して各光反射領域Ｍを位置決めする状態を模式的に示す説明図である。なお、以下の説明において上述した各光反射領域を総称するときにはこれを光反射領域Ｍとし、各レーザビームを総称するときにはこれをレーザビームＬとする。
【００３６】
位置決め用ファントムＦは透光性のアクリル樹脂から構成されており、その表面に形成された光反射領域Ｍは光拡散部材から構成されている。図７に示す状態においては、光反射領域ＭとレーザビームＬが互いに交差しているが、この状態から位置決め用ファントムＦを移動させることにより、光反射領域Ｍの位置とレーザビームＬの位置とを一致させる。両者が一致したときには、線状の光反射領域が形成されることから、その位置決め状態を容易に認識することが可能となる。
【００３７】
この時、上述した実施形態における位置決めに使用される光反射領域２１は傾斜面１１に形成されており、光反射領域２３は傾斜面１３に形成されており、光反射領域２４は傾斜面１４に形成されている。このように、光反射領域Ｍが傾斜面に形成されていることにより、これらの光反射領域Ｍは、レーザビームＬの進行方向に対して異なる位置に亘って配置されていることになる。このため、光反射領域Ｍの位置とレーザビームＬの位置とを一致させることにより、位置決め用ファントムＦの位置ずれと傾きの両者をなくすことが可能となる。
【００３８】
なお、上述した実施形態においてはレーザ光源１０２からのレーザビーム３２ａを第１光ビームとして傾斜面１１に形成された光反射領域２１をこのレーザビーム３２ａに対して位置決めするとともに、レーザ光源１０４からのレーザビーム３４ａを第２の光ビームとして傾斜面１３に形成された光反射領域２３をこのレーザビーム３４ａに対して位置決めし、さらに、レーザ光源１０２からのレーザビーム３２ｂを第３光ビームとして傾斜面１４に形成された光反射領域２４をこのレーザビーム３２ｂに対して位置決めする構成を採用しているが、傾斜面１１、１２、１３、１４に形成された光反射領域２１、２２、２３、２４のうちいずれか３個を選択し、各傾斜面１１、１２、１３、１４と対向するレーザビーム３１ａ、３１ｂ、３２ａ、３２ｂ、３３ａ、３４ａ、３４ｂのうちのいずれか３個を利用することにより、位置決め用ファントムＦの位置決めを実行してもよい。
【００３９】
また、傾斜面１１に形成された光反射領域２１または傾斜面１２に形成された光反射領域２２のいずれか一方と、傾斜面１３に形成された光反射領域２３を選択し、これらの傾斜面と対向するレーザビーム３１ａ、３２ａ、３３ａ、３４ａ、３４ｂのうちのいずれか２個を利用することにより、位置決め用ファントムＦの水平面内での位置決めを行い、面１８と対向するレーザビーム３１ｂ、３２ｂのうちのいずれか一方を利用することにより、位置決め用ファントムＦの鉛直方向の位置決めを行う構成を採用してもよい。
【００４０】
次に、この発明の他の実施形態について説明する。図８は、この発明の第２実施形態に係る位置決め用ファントムＦの平面図であり、図９は、図８のＡ−Ａ断面図である。
【００４１】
この第２実施形態に係る位置決め用ファントムＦは、透光性を有する直方体形状のアクリル樹脂の中央部にＸ線非透過性部材としての金属球３を配置した形状を有し、この金属球３に向けて互いに直交する方向から照射される線状の第１光ビームとしてのレーザビーム３５および第２光ビームとしてのレーザビーム３６を利用することにより、Ｘ線撮影系の位置決めを実行するための位置に設置されるものである。
【００４２】
この位置決め用ファントムＦにおいては、金属球３に向けて照射されるレーザビーム３５の進行方向に沿って、一対の第１光反射領域２５ａ、２５ｂが配設されており、金属球３に向けて照射されるレーザビーム３６の進行方向に沿って、一対の第２光反射領域２６ａ、２６ｂが配設されている。一対の第１光反射領域２５ａ、２５ｂのうち第１光反射領域２５ａは、レーザビーム３５の一部を透過させる半透光性となっており、一対の第２光反射領域２６ａ、２６ｂのうち第２光反射領域２６ａは、レーザビーム３６の一部を透過させる半透光性となっている。
【００４３】
この第２実施形態において、金属球３がアイソセンターと呼ばれる基準位置に設置されるように位置決め用ファントムＦを位置決めするときには、レーザビーム３５が一対の第１光反射部材２５ａ、２５ｂの両方を通過し、かつ、レーザビーム３６が一対の第２光反射領域２６ａ、２６ｂの両方を通過する状態となるように位置決め用ファントムＦを位置決めする。これにより、位置決め用ファントムＦの水平面内での位置決めと位置決め用ファントムＦの鉛直方向での位置決めを同時に実行して、金属球３をアイソセンターに配置することが可能となる。
【符号の説明】
【００４４】
３        金属球
１１      傾斜面
１２      傾斜面
１３      傾斜面
１４      傾斜面
２１      光反射領域
２２      光反射領域
２３      光反射領域
２４      光反射領域
２５ａ    第１光反射領域
２５ｂ    第１光反射領域
２６ａ    第２光反射領域
２６ｂ    第２光反射領域
１０１    レーザ光源
１０２    レーザ光源
１０３    レーザ光源
１０４    レーザ光源
Ｆ        位置決め用ファントム
【図１】
2020068885.tif 000003
【図２】
2020068885.tif 000004
【図３】
2020068885.tif 000005
【図４】
2020068885.tif 000006
【図５】
2020068885.tif 000007
【図６】
2020068885.tif 000008
【図７】
2020068885.tif 000009
【図８】
2020068885.tif 000010
【図９】
2020068885.tif 000011
【図１０】
2020068885.tif 000012
【図１１】
2020068885.tif 000013